(57)【要約】      （修正有）【課題】光源と連係し、反射光を利用することによって照射範囲を拡大するランプカバーを提供する。【解決手段】外付け式ランプカバー１は、支持台座２と、カバー体３と、反射台座４と、からなる。前記カバー体は支持台座と結合し、反射台座はカバー体と支持台座の間に結合される。支持台座は抱え込みユニット５を有し、前記抱え込みユニットは、フレーム体２２と連結して相互に等間隔に設けられた二つの固定部品５１と、前記固定部品の一端に設けられた抱え込み部品５２を有す。前記抱え込み部品間の距離は調整可能である。前記抱え込み部品が光源６を抱え込んだ時、光源は反射台座を経由して反射し、外部に発散され、前記光源の照射範囲を拡大させることができる。【選択図】図４
0003182130.tif 000002
【実用新案登録請求の範囲】
【請求項１】
支持台座と、カバー部と、反射台座とからなる外付け式ランプカバーであって、
前記支持台座は、収容スペースを区切るフレーム体と、前記フレーム体と連結した抱え込みユニットとからなり、前記抱え込みユニットは、前記フレーム体と連結するとともに相互に等間隔に設けられた二つの固定部品と、前記固定部品の一端に設けられた抱え込み部品を有し、前記抱え込み部品間の距離は調整可能であり、
前記カバー部は、立体型を成すとともに、前記抱え込みユニットと逆向きに前記フレーム体と結合され、
前記反射台座は、前記フレーム体に組み合わせて設けられるとともに、収容スペース内に設けられた反射部品を含むことを特徴とする、外付け式ランプカバー。
【請求項２】
前記外付け式ランプカバーは、更に、締め輪を有し、前記締め輪は、弾力性を持った可撓性の帯状体であり、前記締め輪は、前記抱え込み部品を貫いて設けられるとともに、抱え込み部品と共に抱え込みスペースを区切ることを特徴とする、請求項１に記載の外付け式ランプカバー。
【請求項３】
前記カバー部の頭頂部には、外向きに吊り下げ部品が設けられることを特徴とする、請求項１に記載の外付け式ランプカバー。
【請求項４】
前記カバー部には、少なくとも一つの係止用突起部が設けられ、前記フレーム体には、係止用突起部に対応した係止用孔が設けられることを特徴とする、請求項１に記載の外付け式ランプカバー。
【考案の詳細な説明】
【技術分野】
【０００１】
本考案は外付け式ランプカバーに関し、特に照射範囲を拡大させるランプカバーに関する。
【背景技術】
【０００２】
屋外キャンプを行う際、テント内の空間で必要な照明を得るため、テント内に、下方を照らす方向に懐中電灯を吊り下げることがよくある。しかしながら、懐中電灯の発する光線は平行光線束であり、照射範囲が狭く、局部的な照明効果しか得られず、実際にはテント内の空間で必要とされる照明の全てを十分に賄うことはできない。
【考案の概要】
【考案が解決しようとする課題】
【０００３】
上記課題に鑑み、本考案は、光源と連係し、反射光を利用することによって照射範囲を拡大するランプカバーを提供することを目的とする。
【課題を解決するための手段】
【０００４】
上述の目的を達成するために、本考案の外付け式ランプカバーは、支持台座と、カバー部と、反射台座と、からなる。前記支持台座は、収容スペースを区切るフレーム体と、前記フレーム体と連結した抱え込みユニットと、からなる。前記抱え込みユニットは、前記フレーム体と連結するとともに相互に等間隔に設けられた固定部品と、前記固定部品の一端に設けられた抱え込み部品を有す。前記抱え込み部品間の距離は調整可能である。前記カバー部は、立体型を成すとともに、前記抱え込みユニットと逆向きに前記フレーム体と結合されている。前記反射台座は、前記フレーム体に組み合わせて設けられており、収容スペース内に設けられた反射部品を含む。
【考案の効果】
【０００５】
以上の構造により、前記抱え込み部品が光源（例えば懐中電灯）を抱え込んだ時、光源は反射台座を経由して反射し、四辺に発散され、前記光源の照射範囲を拡大させることができる。
【図面の簡単な説明】
【０００６】
【図１】本考案の分解斜視図である。
【図２】本考案の斜視図である。
【図３】本考案の平面断面図である。
【図４】本考案の投射を示した概略図である。
【図５】本考案の実施例の分解図である。
【考案を実施するための形態】
【０００７】
まず、図１から図３を参照する。図１から図３は、本考案の分解斜視図、外観及び断面図である。外付け式ランプカバー１は、主に、支持台座２と、カバー部３と、反射台座４と、からなる。カバー部３は支持台座２に結合され、反射台座４はカバー部３と支持台座２の間に結合される。
【０００８】
支持台座２は、収容スペース２１を区切るフレーム体２２と、フレーム体２２と連結した抱え込みユニット５と、からなる。本実施例では、収容スペース２１は穿孔であり、フレーム体２２には接合部２３が凹設されている。
【０００９】
抱え込みユニット５は、フレーム体２２と連結するとともに相互に等間隔に設けられた二つの固定部品５１と、固定部品５１の一端に設けられた抱え込み部品５２を有する。固定部品５１の材質は弾力性を備え、抱え込み部品５２と連動して抱え込み部品５２間の距離を調整することが可能である。
【００１０】
カバー部３は、立体型（例えば、動物、アニメキャラクター等）を成す。本実施例では、カエル型を例に取っているが、これは本考案の外観を限定するものではない。カバー部３は、抱え込みユニット５と逆向きにフレーム体２２上部と結合されている。
【００１１】
反射台座４は、フレーム体２２の接合部２３の上に組み合わせて設けられるとともに、反射部品４１を含む。反射部品４１は、反射台座４から延伸するとともに収容スペース２１内に設けられている。また、反射部品４１は抱え込みユニット５に向かって設けられている。
【００１２】
また、カバー部３の二側面には、等間隔で係止用突起部３１がそれぞれ設けられる。係止用突起部３１はカバー部３から下向きに設けられる。フレーム体２２には、係止用突起部３１に対応した係止用孔２４が設けられる。本考案の組立ては、反射台座４を支持台座２の接合部２３に組み合わせた後、カバー部３を反射台座４の上部に下向きに取り付け、カバー部３の係止用突起部３１を支持台座２のフレーム体２２に設けられた係止用孔２４に通して係止する。
【００１３】
図４を参照する。光源６（懐中電灯を例とする）が抱え込み部品５２に設けられた時、固定部品５１は材質の弾力性によって抱え込み部品５２と連動し、光源６を挟み込む。光源６の発した光線は反射部品４１の方向に向かって投射され、反射部品４１の反射によって四辺に発散され、照射範囲が拡大される。
【００１４】
図５を参照する。本考案のランプカバー１は、締め輪７を有する。締め輪７は、弾力性を持った可撓性の帯状体で、複数の通孔７１を有する。締め輪７は抱え込み部品５２を貫いて設けられるとともに、抱え込み部品５２と共に抱え込みスペース５３を区切り、光源６を収容する。締め輪７は、抱え込み部品５２に設けられたフック部５４と溝孔５５によって環状に固定される。複数の通孔７１は光源６の体積に合わせて締め付け具合を調整するのに用いる。
【００１５】
また、カバー部３の頭頂部には外向きに吊り下げ部品３２が設けられる。吊り下げ部品３２によって本考案はテントの上方に吊り下げられ、テント内を照らすことができる。
【符号の説明】
【００１６】
１    ランプカバー
２    支持台座
２１  収容スペース
２２  フレーム体
２３  接合部
２４  係止用孔
３    カバー体
３１  係止用突起部
３２  吊り下げ部品
４    反射台座
４１  反射部品
５    抱え込みユニット
５１  固定部品
５２  抱え込み部品
５３  抱え込みスペース
５４  フック部
５５  溝孔
６    光源
７    締め輪
７１  通孔
【図１】
0003182130.tif 000003
【図２】
0003182130.tif 000004
【図３】
0003182130.tif 000005
【図４】
0003182130.tif 000006
【図５】
0003182130.tif 000007